(57)【要約】【課題】ロックボルト基端部にプレートに重ねてナットを締め付ける構造において、地山の表面に対し直角にロックボルトが打設されていなくて傾斜していても、地山表面にプレートを密着させられるようにする。【解決手段】地山に定着させたロックボルト１の基端部にプレート２に重ねてナット３を締め付ける構造であって、ナット３のプレート２に対する座面を曲面部３１に形成する。また、プレート２のナット３の着座面を、ナット３の曲面部３１に対応する曲面部２１に形成する。さらに、プレート２にナット３を収容する窪み部２２を形成する。【選択図】図１
2011196037.tif 000002
【特許請求の範囲】
【請求項１】
地山に定着させたロックボルト基端部にプレートに重ねてナットを締め付ける構造であって、
前記ナットの前記プレートに対する座面を曲面部に形成したことを特徴とするロックボルト締付構造。
【請求項２】
前記プレートの前記ナットの着座面を、前記ナットの曲面部に対応する曲面部に形成したことを特徴とする請求項１に記載のロックボルト締付構造。
【請求項３】
前記プレートに前記ナットを収容する窪み部を形成したことを特徴とする請求項１または２に記載のロックボルト締付構造。
【発明の詳細な説明】
【技術分野】
【０００１】
本発明は、地山に定着させたロックボルト基端部にプレートに重ねてナットを締め付ける構造に関する。
【背景技術】
【０００２】
ロックボルトは、山岳トンネル工法において、トンネル周囲の地山に挿入して定着させ、突出する基端部にナットを螺合させて締め付けを行うことにより、地山の耐荷性能を向上させる。
通常、ロックボルト施工後の地山には防水シートが被せられ、その後に次工程へと移っていく。そこで、防水シートを被せ易くするため、また、被せた防水シートが傷まないようにするため、ロックボルト施工後の基端部の突出長を短くする工夫がなされてきた。
【０００３】
特許文献１には、地山に定着させたロックボルト基端部に、プレートに一体化結合したナットを締め付ける構造が開示されている。
特許文献２には、プレートに重ねてナットを、ロックボルト基端部に締め付ける構造が開示されている。
特許文献３には、プレートとナットをテーパ形状で係合する構造が開示されている。
【先行技術文献】
【特許文献】
【０００４】
【特許文献１】特開平７−１１９３９３号公報
【特許文献２】特開２００１−３２３７９９号公報
【特許文献３】特開２００９−２９３１９６号公報
【発明の概要】
【発明が解決しようとする課題】
【０００５】
しかし、特許文献１−３のような従来の締付構造では、ロックボルト基端部に対しプレート及びナットの座面が直角となっているため、地山の表面に対し直角にロックボルトを打設しないと、プレートの片側が浮いてしまう問題があった。
【０００６】
本発明の課題は、ロックボルト基端部にプレートに重ねてナットを締め付ける構造において、地山の表面に対し直角にロックボルトが打設されていなくて傾斜していても、地山表面にプレートを密着させられるようにすることである。
【課題を解決するための手段】
【０００７】
以上の課題を解決するため、請求項１に記載の発明は、地山に定着させたロックボルト基端部にプレートに重ねてナットを締め付ける構造であって、前記ナットの前記プレートに対する座面を曲面部に形成したことを特徴とする。
【０００８】
請求項２に記載の発明は、請求項１に記載のロックボルト締付構造であって、前記プレートの前記ナットの着座面を、前記ナットの曲面部に対応する曲面部に形成したことを特徴とする。
【０００９】
請求項３に記載の発明は、請求項１または２に記載のロックボルト締付構造であって、前記プレートに前記ナットを収容する窪み部を形成したことを特徴とする。
【発明の効果】
【００１０】
本発明によれば、地山の表面に対し直角にロックボルトが打設されていなくて傾斜していても、地山表面にプレートを密着させることができる。
【図面の簡単な説明】
【００１１】
【図１】本発明を適用したロックボルト締付構造の実施形態１の構成を示す縦断面図である。
【図２】実施形態２のプレートを示す平面図（ａ）とその中央縦断面図（ｂ）である。
【図３】実施形態２のナットを示す平面図（ａ）とその正面半断面図（ｂ）と側面半断面図（ｃ）と底面図（ｄ）である。
【図４】実施形態２のプレート及びナットによるロックボルト締付構造を示す平面図（ａ）とその中央縦断面図（ｂ）である。
【発明を実施するための形態】
【００１２】
以下、図を参照して本発明を実施するための形態を詳細に説明する。
（実施形態１）
図１（ａ）及び（ｂ）は本発明を適用したロックボルト締付構造の実施形態１の構成を示すもので、図中、１はロックボルト、２はプレート、３はナット、Ｇは地山である。
【００１３】
図示のように、地山Ｇに定着させたロックボルト１の基端部にプレート２に重ねてナット３が締め付けられている。
【００１４】
ナット３は、図示のように、プレート２に対する座面が曲面部３１に形成されている。
【００１５】
プレート２は、ロックボルト１の基端部が挿入される貫通孔の周囲でナット３の着座部が、図示のように、ナット３の曲面部３１に対応した同様曲率の凹みによる曲面部２１に形成されている。
【００１６】
また、プレート２には、地山Ｇに定着させたロックボルト１の基端部に締め付けた状態のナット３を収容する深さの窪み部２２が形成されており、この窪み部２２に貫通孔及び曲面部２１が形成されている。
【００１７】
以上、実施形態のプレート２及びナット３を用いることで、地山Ｇに定着させたロックボルト１の基端部にプレート２に重ねてナット３を締め付けると、図示したように、地山Ｇの表面に対し直角にロックボルト１が打設されていなくて傾斜していた場合でも、プレート２の曲面部２１にナット３の曲面部３１が着座して傾斜角度に追従するため、地山Ｇの表面にプレート２を密着させることができる。
【００１８】
そして、ロックボルト１の基端部に締め付けた状態のナット３は、プレート２の窪み部２２に収容された状態になって、施工後の地山Ｇの表面はほぼなだらかとなる。このため、図示しない防水シートで容易に地山Ｇを覆うことができ、防水シートがナット等によって傷められることもない。
【００１９】
（実施形態２）
図２（ａ）及び（ｂ）は実施形態２のプレート２を示すもので、図示のように、プレート２には、前述した実施形態１と曲率が異なる、すなわち、曲率が小さい凹みによる曲面部２１及び窪み部２２が形成されている。
【００２０】
図３（ａ）から（ｄ）は実施形態２のナット３を示すもので、図示のように、ナット３の座面は、ナット２の曲面部２１に対応した同様曲率の曲面部３１に形成されている。
【００２１】
図４（ａ）及び（ｂ）は実施形態２のプレート２及びナット３によるロックボルト１の締付構造を示すもので、図示のように、地山Ｇに定着させたロックボルト１の基端部にプレート２に重ねてナット３を締め付けた状態で、プレート２の曲面部２１にナット３の曲面部３１が着座している。
【００２２】
従って、前述した実施形態１と同様、例えば地山Ｇの表面に対しロックボルト１が傾斜して打設された場合でも、プレート２の曲面部２１とナット３の曲面部３１との当接により傾斜角度に追従して、プレート２が地山Ｇの表面に密着する。
【００２３】
なお、以上の実施形態においては、ナット及びプレートに曲面部を形成したが、本発明はこれに限定されるものではなく、少なくともナットの座面を曲面部に形成しただけであってもよい。
また、曲面部の曲率等も任意であり、その他、具体的な細部構造等についても適宜に変更可能であることは勿論である。
【符号の説明】
【００２４】
１  ロックボルト
２  プレート
２１  曲面部
２２  窪み部
３  ナット
３１  曲面部
Ｇ  地山
【図１】
2011196037.tif 000003
【図２】
2011196037.tif 000004
【図３】
2011196037.tif 000005
【図４】
2011196037.tif 000006